(57)【要約】【課題】商品券の販売管理を正確かつ厳正に行う。【解決手段】管理番号が印字されている商品券を１枚ずつ取り込む受入部１０１と、商品券を払い出す払出部１０６と、商品券を収納する収納部１０４と、前記受入部と前記収納部との間及び前記収納部と前記払出部との間において商品券を搬送する搬送部１０２と、前記搬送部に設けられ、前記管理番号を読み取る読み取り部１０３と、商品券の発行指示を受け付ける操作部１１０と、前記発行指示に基づく商品券を前記払出部から払い出すように前記搬送部を制御する制御部１０８と、前記読み取られた管理番号と、この管理番号が印字された商品券が発行済みか否かを示す発行情報とを記憶する記憶部１０９と、を備える。【選択図】図１
2010020669.tif 000002
【特許請求の範囲】
【請求項１】
管理番号が印字されている商品券を１枚ずつ取り込む受入部と、
商品券を払い出す払出部と、
商品券を収納する収納部と、
前記受入部と前記収納部との間及び前記収納部と前記払出部との間において商品券を搬送する搬送部と、
前記搬送部に設けられ、前記管理番号を読み取る読み取り部と、
商品券の発行指示を受け付ける操作部と、
前記発行指示に基づく商品券を前記払出部から払い出すように前記搬送部を制御する制御部と、
前記読み取られた管理番号と、この管理番号が印字された商品券が発行済みか否かを示す発行情報とを記憶する記憶部と、
を備える商品券発行装置。
【請求項２】
前記読み取り部は商品券が前記受入部から前記収納部へ搬送される時に管理番号を読み取り、
前記記憶部は前記管理番号の読み取り順を記憶し、前記発行指示に基づく商品券の払い出し時において、前記読み取り順の逆順で、払い出す枚数分の管理番号の商品券について発行済みと設定することを特徴とする請求項１に記載の商品券発行装置。
【請求項３】
前記読み取り部は商品券が前記収納部から前記払出部へ搬送される時に管理番号を読み取り、
前記記憶部は読み取られた管理番号及びこの管理番号が印字された商品券が発行済みであることを示す発行情報を記憶することを特徴とする請求項１に記載の商品券発行装置。
【請求項４】
前記読み取られた管理番号が連番でなかった場合に報知する報知手段を備えることを特徴とする請求項２又は３に記載の商品券発行装置。
【請求項５】
前記読み取り部は商品券が前記受入部から前記収納部へ搬送される時、及び前記収納部から前記払出部へ搬送される時に管理番号を読み取り、
前記記憶部は、前記受入部から前記収納部への搬送時における前記管理番号の読み取り順を記憶し、前記収納部から前記払出部への搬送時における前記管理番号の読み取り順と、前記記憶している読み取り順の逆順との比較結果が一致する場合は、前記収納部から前記払出部への搬送時に読み取られた管理番号の商品券について発行済みと設定することを特徴とする請求項１に記載の商品券発行装置。
【請求項６】
リジェクト商品券を収納するリジェクト部をさらに備え、
前記制御部は、前記比較結果が不一致の場合は、前記収納部から前記払出部へ搬送される商品券を前記リジェクト部へ搬送し、再度前記発行指示に基づく商品券を前記払出部から払い出すように前記搬送部を制御することを特徴とする請求項５に記載の商品券発行装置。
【請求項７】
前記操作部は、前記リジェクト部に収納された商品券を前記収納部へ再度収納する再装填指示を受け付け、
前記記憶部に記憶された管理番号のうち、前記再装填指示に基づいて前記受入部から取り込まれ、前記読み取り部により読み取られた管理番号と同じ管理番号について、読み取り順が更新されることを特徴とする請求項６に記載の商品券発行装置。
【請求項８】
前記記憶部は前記管理番号と共に、前記読み取り部により前記管理番号が読み取られた日時を記憶することを特徴とする請求項１乃至７のいずれかに記載の商品券発行装置。
【請求項９】
紙幣を収納する紙幣収納部をさらに備え、
前記受入部は紙幣を１枚ずつ取り込み、前記搬送部は前記受入部と前記紙幣収納部との間において紙幣を搬送し、前記読み取り部は紙幣の識別・計数を行い、前記制御部は前記読み取り部により識別・計数された紙幣の合計金額と同額の商品券を前記払出部から払い出すように前記搬送部を制御することを特徴とする請求項１乃至８のいずれかに記載の商品券発行装置。
【請求項１０】
紙幣及び／又は管理番号が印字されている商品券を１枚ずつ取り込む受入部と、
紙幣及び／又は商品券を払い出す払出部と、
紙幣を収納する紙幣収納部と、
商品券を収納する商品券収納部と、
前記受入部と前記紙幣収納部との間及び前記紙幣収納部と前記払出部との間において紙幣を搬送し、前記受入部と前記商品券収納部との間及び前記商品券収納部と前記払出部との間において商品券を搬送する搬送部と、
前記搬送部に設けられ、紙幣の識別・計数及び前記管理番号の読み取りを行う識別部と、
商品券発行指示及び釣銭出金指示が与えられ、前記商品券発行指示に基づく商品券を前記払出部から払い出すように前記搬送部を制御し、前記釣銭出金指示に基づく紙幣を前記払出部から払い出すように前記搬送部を制御する制御部と、
前記読み取られた管理番号と、この管理番号が印字された商品券が発行済みか否かを示す発行情報とを記憶する記憶部と、
を備える紙幣釣銭機。
【請求項１１】
前記釣銭出金指示は、前記識別部により識別・計数された紙幣の合計金額と前記商品券発行指示に基づいて払い出される商品券の金額との差額分の紙幣の出金指示であることを特徴とする請求項１０に記載の紙幣釣銭機。
【請求項１２】
前記識別部は、商品券が前記受入部から前記商品券収納部へ搬送される商品券装填時と、前記商品券収納部から前記払出部へ搬送される商品券発行時とで管理番号の読み取りを行い、
前記記憶部は前記発行情報として管理番号の読み取り日時を記憶し、前記発行情報は、前記商品券発行時の読み取り日時が記憶されている場合は対応する商品券が発行済みであることを示し、前記商品券発行時の読み取り日時が記憶されていない場合は対応する商品券が発行済みでないことを示すことを特徴とする請求項１０又は１１に記載の紙幣釣銭機。
【請求項１３】
リジェクト商品券を収納するリジェクト部をさらに備え、
前記制御部は、前記商品券発行時における管理番号の読み取り順と、前記商品券装填時における管理番号の読み取り順の逆順とが一致しない場合は、前記商品券収納部から繰り出されて管理番号が読み取られた商品券を前記リジェクト部へ搬送し、再度前記商品券発行指示に基づく商品券を前記払出部から払い出すように前記搬送部を制御することを特徴とする請求項１２に記載の紙幣釣銭機。
【請求項１４】
前記識別部により読み取られた管理番号が連番でなかった場合に報知する報知手段を備えることを特徴とする請求項１０乃至１３のいずれかに記載の紙幣釣銭機。
【発明の詳細な説明】
【技術分野】
【０００１】
本発明は、商品券発行装置及び紙幣釣銭機に関するものである。
【背景技術】
【０００２】
小売店で商品券を販売する場合、販売する商品券の枚数の計数作業や、計数した枚数及び販売する商品券の各々に印字されている管理番号の記録作業が販売員の手で行われていた。そのため、これらの作業に非常に多くの手間がかかり、また正確・確実な販売管理を行うことが困難であった。
【０００３】
このような問題を解決するため、管理番号が連続する複数の商品券を装填し、装填した商品券の管理番号のうち最初の番号ｘと最後の番号ｙを登録し、ｎ枚払い出されたら管理番号ｘからｘ＋ｎ−１までの商品券が発行されたとみなすことで、商品券販売時の作業の効率化を図る商品券払出管理システムが提案されている（例えば特許文献１参照）。しかし、装置への管理番号の登録や、商品券の装填は手作業で行われるため、誤りが発生し、正確な管理が行えないおそれがある。
【０００４】
また、店舗において商品券を発行（販売）する必要性が生じた際に商品券用紙に管理番号を印字し商品券を作成すると共にその管理番号を記憶手段に記憶させることで、発行情報管理の正確性の向上を図る商品券発行システムが提案されている（例えば特許文献２参照）。しかし、管理番号を印字する手段を装置に設けることで装置サイズが大きくなり、コストが増大する。また、商品券に印字する管理番号は印字位置等が規格で定められており、印字位置のずれ等により、規格を満たさない商品券を作成、発行するおそれがある。
【特許文献１】特許第２８４５９３７号明細書
【特許文献２】特開２０００−１４８８７０号公報
【発明の開示】
【発明が解決しようとする課題】
【０００５】
本発明は商品券の販売管理を正確かつ厳正に行うことができる商品券発行装置及び紙幣釣銭機を提供することを目的とする。
【課題を解決するための手段】
【０００６】
本発明の一態様による商品券発行装置は、管理番号が印字されている商品券を１枚ずつ取り込む受入部と、商品券を払い出す払出部と、商品券を収納する収納部と、前記受入部と前記収納部との間及び前記収納部と前記払出部との間において商品券を搬送する搬送部と、前記搬送部に設けられ、前記管理番号を読み取る読み取り部と、商品券の発行指示を受け付ける操作部と、前記発行指示に基づく商品券を前記払出部から払い出すように前記搬送部を制御する制御部と、前記読み取られた管理番号と、この管理番号が印字された商品券が発行済みか否かを示す発行情報とを記憶する記憶部と、を備えるものである。
【０００７】
本発明の一態様による商品券発行装置においては、前記読み取り部は商品券が前記受入部から前記収納部へ搬送される時に管理番号を読み取り、前記記憶部は前記管理番号の読み取り順を記憶し、前記発行指示に基づく商品券の払い出し時において、前記読み取り順の逆順で、払い出す枚数分の管理番号の商品券について発行済みと設定することが好ましい。
【０００８】
本発明の一態様による商品券発行装置においては、前記読み取り部は商品券が前記収納部から前記払出部へ搬送される時に管理番号を読み取り、前記記憶部は読み取られた管理番号及びこの管理番号が印字された商品券が発行済みであることを示す発行情報を記憶することが好ましい。
【０００９】
本発明の一態様による商品券発行装置においては、前記読み取られた管理番号が連番でなかった場合に報知する報知手段を備えることが好ましい。
【００１０】
本発明の一態様による商品券発行装置においては、前記読み取り部は商品券が前記受入部から前記収納部へ搬送される時、及び前記収納部から前記払出部へ搬送される時に管理番号を読み取り、前記記憶部は、前記受入部から前記収納部への搬送時における前記管理番号の読み取り順を記憶し、前記収納部から前記払出部への搬送時における前記管理番号の読み取り順と、前記記憶している読み取り順の逆順との比較結果が一致する場合は、前記収納部から前記払出部への搬送時に読み取られた管理番号の商品券について発行済みと設定することが好ましい。
【００１１】
本発明の一態様による商品券発行装置においては、リジェクト商品券を収納するリジェクト部をさらに備え、前記制御部は、前記比較結果が不一致の場合は、前記収納部から前記払出部へ搬送される商品券を前記リジェクト部へ搬送し、再度前記発行指示に基づく商品券を前記払出部から払い出すように前記搬送部を制御することが好ましい。
【００１２】
本発明の一態様による商品券発行装置においては、前記操作部は、前記リジェクト部に収納された商品券を前記収納部へ再度収納する再装填指示を受け付け、前記記憶部に記憶された管理番号のうち、前記再装填指示に基づいて前記受入部から取り込まれ、前記読み取り部により読み取られた管理番号と同じ管理番号について、読み取り順が更新されることが好ましい。
【００１３】
本発明の一態様による商品券発行装置においては、前記記憶部は前記管理番号と共に、前記読み取り部により前記管理番号が読み取られた日時を記憶することが好ましい。
【００１４】
本発明の一態様による商品券発行装置においては、紙幣を収納する紙幣収納部をさらに備え、前記受入部は紙幣を１枚ずつ取り込み、前記搬送部は前記受入部と前記紙幣収納部との間において紙幣を搬送し、前記読み取り部は紙幣の識別・計数を行い、前記制御部は前記読み取り部により識別・計数された紙幣の合計金額と同額の商品券を前記払出部から払い出すように前記搬送部を制御することが好ましい。
【００１５】
本発明の一態様による紙幣釣銭機は、紙幣及び／又は管理番号が印字されている商品券を１枚ずつ取り込む受入部と、紙幣及び／又は商品券を払い出す払出部と、紙幣を収納する紙幣収納部と、商品券を収納する商品券収納部と、前記受入部と前記紙幣収納部との間及び前記紙幣収納部と前記払出部との間において紙幣を搬送し、前記受入部と前記商品券収納部との間及び前記商品券収納部と前記払出部との間において商品券を搬送する搬送部と、前記搬送部に設けられ、紙幣の識別・計数及び前記管理番号の読み取りを行う識別部と、商品券発行指示及び釣銭出金指示が与えられ、前記商品券発行指示に基づく商品券を前記払出部から払い出すように前記搬送部を制御し、前記釣銭出金指示に基づく紙幣を前記払出部から払い出すように前記搬送部を制御する制御部と、前記読み取られた管理番号と、この管理番号が印字された商品券が発行済みか否かを示す発行情報とを記憶する記憶部と、を備えるものである。
【００１６】
本発明の一態様による紙幣釣銭機においては、前記釣銭出金指示は、前記識別部により識別・計数された紙幣の合計金額と前記商品券発行指示に基づいて払い出される商品券の金額との差額分の紙幣の出金指示であることが好ましい。
【００１７】
本発明の一態様による紙幣釣銭機においては、前記識別部は、商品券が前記受入部から前記商品券収納部へ搬送される商品券装填時と、前記商品券収納部から前記払出部へ搬送される商品券発行時とで管理番号の読み取りを行い、前記記憶部は前記発行情報として管理番号の読み取り日時を記憶し、前記発行情報は、前記商品券発行時の読み取り日時が記憶されている場合は対応する商品券が発行済みであることを示し、前記商品券発行時の読み取り日時が記憶されていない場合は対応する商品券が発行済みでないことを示すことが好ましい。
【００１８】
本発明の一態様による紙幣釣銭機においては、リジェクト商品券を収納するリジェクト部をさらに備え、前記制御部は、前記商品券発行時における管理番号の読み取り順と、前記商品券装填時における管理番号の読み取り順の逆順とが一致しない場合は、前記商品券収納部から繰り出されて管理番号が読み取られた商品券を前記リジェクト部へ搬送し、再度前記商品券発行指示に基づく商品券を前記払出部から払い出すように前記搬送部を制御することが好ましい。
【００１９】
本発明の一態様による紙幣釣銭機においては、前記識別部により読み取られた管理番号が連番でなかった場合に報知する報知手段を備えることが好ましい。
【発明の効果】
【００２０】
本発明によれば、商品券の販売管理を正確かつ厳正に行うことができる。
【発明を実施するための最良の形態】
【００２１】
以下、本発明の実施の形態を図面に基づいて説明する。
【００２２】
（第１の実施形態）図１に本発明の第１の実施形態に係る商品券発行装置のブロック図を示す。商品券発行装置は、受入部１０１、搬送部１０２、読み取り部１０３、収納部１０４（１０４ａ、１０４ｂ）、一時保留部１０５、払出部１０６、リジェクト部１０７、制御部１０８、記憶部１０９、及び操作部１１０を備える。
【００２３】
操作部１１０は操作者から商品券の装填指示や発行指示を受け付ける。操作部１１０を介して装填指示を受け付けると、受入部１０１は載置された商品券を１枚ずつ装置内へ取り込む。商品券には図２に示すように、１枚毎に固有の管理番号が印字されている。この管理番号はＯＣＲ（Optical Character Recognition：光学文字認識）又はＭＩＣＲ（Magnetic ink Character Recognition：磁気インク文字認識）で印字されている。管理番号は、商品券の発行会社や券種等の情報を示すものとなっている。
【００２４】
取り込まれた紙幣は搬送部１０２により券種別に商品券を収納する収納部１０４へ搬送される。例えば収納部１０４ａは５００円商品券を収納し、収納部１０４ｂは１０００円商品券を収納する。
【００２５】
搬送部１０２には読み取り部１０３が設けられており、読み取り部１０３は商品券に印字された管理番号を読み取り、制御部１０８へ出力する。制御部１０８は読み取られた管理番号から商品券の券種を検出して搬送先を決定し、搬送部１０２の制御を行う。例えば、制御部１０８は検出した商品券の券種に基づいて、その商品券を収納部１０４ａ、１０４ｂのどちらに収納するかを決定し、搬送部１０２の制御を行う。
【００２６】
制御部１０８は読み取り部１０３により読み取られた管理番号を記憶部１０９に記憶させる。制御部１０８は例えば図３に示すように、収納部に装填する商品券の管理番号、装填日時、操作者のコード番号等を装填日時順に記憶部１０９に記憶させる。
【００２７】
操作部１１０を介して商品券の発行指示を受け付けると、搬送部１０２により、指定された券種枚数の商品券が収納部１０４から一時保留部１０５へ搬送され、一時保留される。一時保留部１０５への搬送時にも商品券の管理番号が読み取り部１０３により読み取られる。
【００２８】
制御部１０８は、商品券の発行処理時に読み取り部１０３が読み取った管理番号の順番と、記憶部１０９に記憶されている管理番号の順番の逆順とを比較する。収納部１０４から商品券が正常に繰り出された場合、その順番は商品券の装填順とは逆順になるためである。
【００２９】
比較結果が一致する場合は正常に繰り出されたと判断され、一時保留されている商品券が払出部１０６から払い出される。この時、図４に示すように、払い出された商品券について払い出した日時（発行日時）を記憶部１０９に記憶する。記憶部１０９に発行日時が書き込まれている管理番号の商品券は発行されており、発行日時が書き込まれていない管理番号の商品券は収納部１０４内に収納されたままであることが分かる。
【００３０】
このような装填日時と発行日時を示す発行情報を記憶部１０９に記憶させておくことで、装置内に装填された商品券が発行済みであるか否かを管理することができる。
【００３１】
比較結果が不一致の場合は、収納部１０４から複数の商品券が重なって繰り出されて搬送されたと考えられるため、一時保留されている商品券をリジェクト部１０７に収納し、再度指定券種枚数の商品券の払い出しを行う。また、操作部１１０を介して発行指示がキャンセルされると、一時保留されている商品券はリジェクト部１０７に収納される。
【００３２】
商品券の装填時は、人の手で商品券を受入部１０１へ載置するだけなので、人的ミスの発生を防止できる。また、装填時及び発行時に読み取り部１０３が商品券の管理番号を読み取ることで、入出券管理が確実に行われる。
【００３３】
このように、本実施形態に係る商品券発行装置により、商品券の販売管理を正確かつ厳正に行うことができる。
【００３４】
（第２の実施形態）図５に本発明の第２の実施形態に係る紙幣釣銭機のブロック図を示す。紙幣釣銭機は、筐体２００と、この筐体２００内の略中央部に設けられた環状の周回搬送部２０２ａとを備えている。また、受入部２０１、紙幣収納部２０４ａ、２０４ｂ、商品券収納部２０５、払出部２０６、及び回収カセット２１１が、周回搬送部２０２ａの外周を取り囲むように配置されている。
【００３５】
また、受入部２０１、紙幣収納部２０４ａ、２０４ｂ、商品券収納部２０５、払出部２０６、及び回収カセット２１１と、周回搬送部２０２ａとの間に接続搬送部２０２ｂがそれぞれ設けられている。周回搬送部２０２ａには、通過する紙幣の識別・計数、商品券に印字された管理番号の読み取りを行う識別部２０３が設けられている。
【００３６】
また、周回搬送部２０２ａと各接続搬送部２０２ｂとの間で紙幣や商品券の搬送経路を切り替える経路切替部（図示せず）が周回搬送部２０２ａに沿って配置されている。
【００３７】
受入部２０１から取り込まれた紙幣は識別部２０３で識別・計数され、金種別に紙幣収納部２０４ａ、２０４ｂ、又は回収カセット２１１に搬送されて収納される。例えば、千円紙幣は紙幣収納部２０４ａ、五千円紙幣は紙幣収納部２０４ｂに収納され、釣銭として使用されない二千円紙幣又は一万円紙幣は回収カセット２１１に収納される。
【００３８】
制御部２０８はＰＯＳサーバ等の上位機（図示せず）に接続されており、商品券の装填指示や発行指示、釣銭紙幣の出金指示を受け付け、受け付けた指示に基づいて各部の制御を行う。
【００３９】
制御部２０８は釣銭紙幣の出金指示を受け付けると、紙幣収納部２０４から指定金額又は指定金種枚数の紙幣を繰り出し、払出部２０６から釣銭紙幣を払い出す。
【００４０】
制御部２０８が商品券の装填指示を受け付けると、受入部２０１は載置された商品券を１枚ずつ装置内へ取り込む。商品券には１枚毎に固有の管理番号が印字されている（図２参照）。この固有番号はＯＣＲ又はＭＩＣＲで印字されている。管理番号は、商品券の発行会社や券種等の情報を示すものとなっている。
【００４１】
取り込まれた商品券は周回搬送部２０２ａ、接続搬送部２０２ｂにより商品券収納部２０５へ搬送される。この時、識別部２０３により商品券の管理番号が読み取られ、制御部２０８へ出力される。
【００４２】
制御部２０８はこの管理番号を日時（装填日時）と共に記憶部２０９に記憶させる。制御部２０８は例えば、収納部２０５に装填（収納）する商品券の管理番号、装填日時、操作者のコード番号等を装填日時順に記憶部２０９に記憶させる（図３参照）。
【００４３】
制御部２０８が商品券の発行指示を受け付けると、指定された枚数の商品券が商品券収納部２０５から繰り出される。繰り出された商品券は払出部２０６への搬送時にも管理番号が識別部２０３により読み取られる。
【００４４】
制御部２０８は、読み取り部２０３が読み取った管理番号の順番と、記憶部２０９に記憶されている管理番号の順番の逆順とを比較する。商品券収納部２０５から商品券が正常に繰り出された場合、その順番は商品券の装填順とは逆順になるためである。
【００４５】
比較結果が一致する場合は正常に繰り出されたと判断され、商品券が払出部２０６から払い出される。この時、払い出された商品券について記憶部２０９に払い出した日時（発行日時）を記憶する（図４参照）。発行日時が書き込まれている管理番号の商品券は発行済みであり、発行日時が書き込まれていない管理番号の商品券は商品券収納部２０５内に収納されたままであることが分かる。
【００４６】
このような装填日時と発行日時を示す発行情報を記憶部２０９に記憶させておくことで、装置内に装填されている商品券が発行済みであるか否かを管理することができる。
【００４７】
比較結果が不一致の場合は、商品券収納部２０５から複数の商品券が重なって繰り出されて搬送されたと考えられるため、商品券をリジェクト部２０７に収納し、再度指定された枚数の商品券の払い出しを行う。また、商品券の発行指示がキャンセルされると、商品券収納部２０５から繰り出された商品券はリジェクト部２０７に収納される。
【００４８】
本実施形態による紙幣釣銭機を用いて商品券を顧客に販売する際の商品券発行及び釣銭出金について図６に示すフローチャートを用いて説明する。
【００４９】
（ステップＳ６０１）発行する商品券の券種と枚数及び／又は金額が上位機に与えられる。
【００５０】
（ステップＳ６０２）上位機からの商品券発行指示に基づき、商品券収納部２０５から商品券が繰り出される。
【００５１】
（ステップＳ６０３）繰り出された商品券の管理番号が読み取られ、読み取られた管理番号の順番と、商品券装填時に読み取られた管理番号の順番の逆順とが比較される。比較結果が一致する場合はステップＳ６０４へ進み、一致しない場合はステップＳ６０５へ進む。
【００５２】
（ステップＳ６０４）商品券を払出部２０６から払い出す。
【００５３】
（ステップＳ６０５）商品券をリジェクト部２０７に収納して、ステップＳ６０２に戻り再度商品券を繰り出す。
【００５４】
（ステップＳ６０６）受入部２０１に載置された紙幣が取り込まれ、識別部２０３で識別・計数される。計数結果は上位機へ送信される。また、紙幣は紙幣収納部２０４又は回収カセットに２１１に収納される。
【００５５】
（ステップＳ６０７）上位機が、ステップＳ６０１において発行指示された商品券の合計金額と、ステップＳ６０６で識別・計数された紙幣の金額との差額（釣銭額）を計算し、釣銭出金指示を与える。
【００５６】
（ステップＳ６０８）釣銭出金指示に基づき紙幣収納部２０４から紙幣が繰り出され、払出部２０６から釣銭紙幣が払い出される。
【００５７】
このように、販売する商品券の発行管理、売上金の入金、及び釣銭の出金を同時に行うことができる。
【００５８】
本実施形態による紙幣釣銭機は、商品券の装填時に人の手で行うのは商品券を受入部２０１へ載置することだけなので、人的ミスの発生を防止できる。また、装填時と発行時に商品券の管理番号を識別部２０３が読み取ることで、入出券管理を確実に行うことができる。
【００５９】
このように、本実施形態に係る紙幣釣銭機により、商品券の販売管理を正確かつ厳正に行うことができ、さらに売上金管理を同時に行うことができる。
【００６０】
上記第２の実施形態では、図６に示すように、商品券の発行指示を受け付け、商品券を発行してから、紙幣を入金していたが、紙幣を入金し、その入金額及び商品券の発行指示に基づいて、商品券の発行及び釣銭紙幣の払い出しを行うようにしてもよい。これは例えば商品券の自動販売機への適用に好適である。
【００６１】
上記第２の実施形態では、図５に示すように、商品券収納部２０５が１つだけ設けられていたが、２券種の商品券を取り扱う場合は収納部をさらに１つ増設するようにしてもよく、また紙幣収納部２０４ａ、２０４ｂの一方を商品券の収納に用いるようにしてもよい。紙幣収納部２０４ａ、２０４ｂの一方を商品券の収納に用いる場合は、例えば、紙幣収納部２０４ａ、２０４ｂの他方を千円紙幣の収納に用い、五千円紙幣は回収カセット２１１に収納する。
【００６２】
上記第１及び第２の実施形態において、リジェクト部１０７、２０７に収納された商品券を収納部１０４、２０５に再度収納（再装填）するようにしてもよい。再装填の際にも商品券の管理番号は読み取られ、制御部１０８、２０８は記憶部１０９、２０９に記憶された発行情報のうち、読み取られた管理番号と同じ管理番号の発行情報の装填日時を更新する。再装填時は、操作部や上位機から再装填指示を与えるようにしてもよい。
【００６３】
上記実施形態では商品券の装填時と発行時の両方で管理番号の読み取りを行っていたが、いずれか一方のみでも良い。例えば、発行時にのみ管理番号の読み取りを行う場合、読み取った管理番号と発行日時が記憶部に記憶され、商品券の発行管理を行う。
【００６４】
一般に、商品券は管理番号が連番になった束の状態で印刷所等から店舗へ納品され、この束単位で装置に装填されることが多く、発行される商品券の管理番号は連番になっていると考えられる。従って、読み取った管理番号が連番になっていない場合、収納部から複数の商品券が重なって繰り出され払い出された可能性があるため、商品券の発行時に読み取った管理番号が連番になっていなかった時は、その旨をアラーム音や警告表示などで操作者に報知するようにしてもよい。
【００６５】
また、商品券の装填時にのみ管理番号の読み取りを行う場合は、読み取った管理番号と装填日時を含み、収納部に収納中であることを示す発行情報を記憶部に記憶する。そして、商品券の発行時は、発行情報が収納中を示す管理番号のうち、装填日時の新しいものから順に、払い出した枚数分の数の管理番号の発行情報に発行日時を記録し、発行情報を払い出し済みに設定（更新）する。
【００６６】
上記第１の実施形態による商品券発行装置に紙幣の受け入れ、識別・計数、及び収納といった紙幣入金機能を持たせて、入金金額と同額の商品券を発行するようにしてもよい。このような構成にすることで、入金金額と商品券の等価交換管理を行うことができる。
【００６７】
上記実施形態において、商品券の装填時と発行時で操作者が異なる場合は、それぞれの操作者のコード番号を記憶部１０９、２０９に記憶するようにしてもよい。
【００６８】
上述した実施の形態はいずれも一例であって限定的なものではないと考えられるべきである。本発明の技術的範囲は特許請求の範囲によって示され、特許請求の範囲と均等の意味および範囲内でのすべての変更が含まれることが意図される。
【図面の簡単な説明】
【００６９】
【図１】本発明の第１の実施形態に係る商品券発行装置のブロック図である。
【図２】商品券の外観図である。
【図３】同第１又は同第２の実施形態に係る商品券発行装置における記憶部に記憶される情報の一例を示す図である。
【図４】同第１又は同第２の実施形態に係る商品券発行装置における記憶部に記憶される情報の一例を示す図である。
【図５】本発明の第２の実施形態に係る紙幣釣銭機のブロック図である。
【図６】同第２の実施形態に係る紙幣釣銭機の動作を説明するフローチャートである。
【符号の説明】
【００７０】
１０１  受入部
１０２  搬送部
１０３  読み取り部
１０４  収納部
１０５  一時保留部
１０６  払出部
１０７  リジェクト部
１０８  制御部
１０９  記憶部
１１０  操作部
【図１】
2010020669.tif 000003
【図２】
2010020669.tif 000004
【図３】
2010020669.tif 000005
【図４】
2010020669.tif 000006
【図５】
2010020669.tif 000007
【図６】
2010020669.tif 000008